(57)【要約】【課題】舌に圧迫感や掻爬感を残すことなく安全且つ十分に舌苔を掻き取ることができると共に、スキージ部を使用する際においても圧迫感や掻爬感を残すことなく舌苔を除去することができる舌苔除去具を得る。【解決手段】舌の表面と当接して舌苔を掻き取るための円錐形突起と円筒形突起を一定の割合で配列して形成すると共に、該円錐形突起と円筒形突起を形成した面と反対面または同一面に三日月状のスキージ部を形成したブラシ部と、該ブラシ部を固着すべく形成したブラシ保持部と当該ブラシ保持部の後端側にブラシ保持部を把持するための首部および柄部を一方向に形成し、前記スキージ部の三日月状の凸部側を柄部側に向けて構成する。【選択図】図１
0003180559.tif 000002
【実用新案登録請求の範囲】
【請求項１】
舌の表面と当接して舌苔を掻き取るための円錐形突起と円筒形突起を一定の割合で配列して形成すると共に、該円錐形突起と円筒形突起を形成した面と反対面または同一面に三日月状のスキージ部を形成したブラシ部と、該ブラシ部を固着すべく形成したブラシ保持部と当該ブラシ保持部の後端側にブラシ保持部を把持するための首部および柄部を一方向に形成し、前記スキージ部の三日月状の凸部側を柄部側に向けて構成することを特徴とした、舌苔除去具。
【請求項２】
ブラシ部と当該ブラシ部に形成した円錐形突起と円筒形突起およびスキージ部はエラストマ樹脂にて形成し、他のブラシ保持部と首部および柄部は適度な弾力性を有した軟質樹脂にて一体形成することを特徴とした、請求項１に記載の舌苔除去具。
【請求項３】
ブラシ部に形成した円錐形突起と円筒形突起の直径は約０．５〜２ｍｍで長さは約２〜５ｍｍ程度とし、各円錐形突起と円筒形突起との間隔は約０．５〜２ｍｍ程度とし、さらにスキージ部の高さは約１〜３ｍｍ程度とすることを特徴とした、請求項１および請求項２に記載の舌苔除去具。
【考案の詳細な説明】
【技術分野】
【０００１】  本考案は、舌の表面に付着した白色または褐色の皮膜である舌苔を、安全且つ容易に除去することができる、舌苔除去具の改良に関するものである。
【背景技術】
【０００２】  人間の舌の表面には、舌乳頭（糸状乳頭、茸状乳頭、有郭乳頭、葉状乳頭）と呼ばれる突起があり、特に有郭乳頭と葉状乳頭を取り巻く深い溝の壁には、味覚器である味蕾が発達している。そして、上皮細胞やリンパ球または食物の残りかすなどによって舌の表面には白色や褐色の皮膜が生じることがあり、該皮膜を舌苔と称している。【０００３】  この舌苔をそのままにしておくと、味覚が消失したり口臭や虫歯の原因となるため、ヘラやブラシなどを使用して除去している。前記ヘラの場合、竹や金属若しくは硬質樹脂で形成されているため、時として強く押え過ぎて舌を傷つけてしまうことがあり、安全性に問題点があった。また、舌の奥深い部分では使用し難いという問題点もあった。このため、本願出願人による実用新案登録第３１２１２９４号公報および実用新案登録第３１６４８７８号公報の『舌苔除去具』において、舌の表面と当接して舌苔を掻き取るための円錐形突起または円錐形突起と円筒形突起を多数形成したブラシ部と当該ブラシ部を冠着または挿着すべく先端側裏面にスキージ部を形成したブラシ保持部と首部および柄部にて構成した舌苔除去具を提案した。【０００４】
【特許文献１】実用新案登録第３１２１２９４号
【特許文献２】実用新案登録第３１６４８７８号
【考案の開示】
【考案が解決しようとする課題】
【０００５】  しかしながら、上記実用新案登録第３１２１２９４号公報および実用新案登録第３１６４８７８号公報の舌苔除去具においては、ブラシ部の材質としてエラストマ樹脂を使用すると共に、舌苔を掻き取るブラシ部の先端が円錐形突起または円錐形突起と円筒形突起であるため、圧迫感や掻爬感を残したり舌に傷をつけてしまうことはなく、舌との当接も確実で安心且つ十分に舌苔を掻き取ることができるものの、スキージ部を使用する際において当該スキージ部の形状が舌に対して抗力を持つため、圧迫感や掻爬感が出てしまうという問題点が発生した。【０００６】  本考案は、上記の問題点を解決するために成されたものであり、舌に圧迫感や掻爬感を残すことなく安全且つ十分に舌苔を掻き取ることができると共に、スキージ部を使用する際においても圧迫感や掻爬感を残すことなく舌苔を除去することができる舌苔除去具を提供することを目的とする。
【課題を解決するための手段】
【０００７】  上記問題点を解決するため本考案の舌苔除去具においては、舌の表面と当接して舌苔を掻き取るための円錐形突起と円筒形突起を一定の割合で配列して形成すると共に、該円錐形突起と円筒形突起を形成した面と反対面または同一面に三日月状のスキージ部を形成したブラシ部と、該ブラシ部を固着すべく形成したブラシ保持部と当該ブラシ保持部の後端側にブラシ保持部を把持するための首部および柄部を一方向に形成し、前記スキージ部の三日月状の凸部側を柄部側に向けて構成する。【０００８】  また、上記ブラシ部と当該ブラシ部に形成した円錐形突起と円筒形突起およびスキージ部はエラストマ樹脂にて形成し、他のブラシ保持部と首部および柄部は適度な弾力性を有した軟質樹脂にて一体形成する。【０００９】  また、上記ブラシ部に形成した円錐形突起と円筒形突起の直径は約０．５〜２ｍｍで長さは約２〜５ｍｍ程度とし、各円錐形突起と円筒形突起との間隔は約０．５〜２ｍｍ程度とし、さらにスキージ部の高さは約１〜３ｍｍ程度とする。
【考案の効果】
【００１０】  本考案の舌苔除去具を使用して舌の表面に付着している舌苔を除去するようにすれば、エラストマ樹脂製のブラシ部において円錐形突起の円錐部が滑らかに舌に当接し、円筒形突起の円筒角部が確実に舌に当接すると共に、当該舌苔除去具を構成するブラシ保持部と首部および柄部が適度な弾力性を有した軟質樹脂にて一体形成されているため、舌に圧迫感や掻爬感を残すことなく安全且つ十分に舌苔を掻き取ることができるという効果を奏する。また、円錐形突起と円筒形突起を形成した面と反対面または同一面に形成したスキージ部の形状が舌に対して抗力を持たないため、圧迫感や掻爬感を残すことなく舌苔を除去することができるという絶大なる効果を奏する。
【考案を実施するための最良の形態】
【００１１】  本考案を実施するための最良の形態を図を用いて説明する。図１は本考案の舌苔除去具の一実施例の外形図であり、（ａ）は正面図，（ｂ）は側面図，（ｃ）は背面図である。【００１２】  該図に示すように、本考案の舌苔除去具１は一般的な歯ブラシ形状と同様であり、舌の表面と当接して舌苔を掻き取るための円錐形突起４と円筒形突起５を一定の割合で配列して形成すると共に、該円錐形突起４と円筒形突起５を形成した面と反対面または同一面に三日月状のスキージ部６を形成したブラシ部３と、該ブラシ部３を固着すべく形成したブラシ保持部２と当該ブラシ保持部２の後端側にブラシ保持部２を把持するための首部７および柄部８を一方向に形成し、前記スキージ部６の三日月状の凸部側を柄部８側に向けて構成する。前記ブラシ部３表面は（ｂ）に示すように舌の表面と確実に当接すべく緩やかな円弧状の凸形状を成す。また、スキージ部６の舌に当接する面は、舌に対して抗力を持たないように傾斜を持たせて形成する。該傾斜角は９０°前後が好適であるが、特に限定するものではない、該図において、スキージ部６は上下に２本を描いているが、１本または３本等であっても構わない。また、前記柄部８は把持し易いように適度な太さと形状を有し、首部７は弾力性を持たせるため柄部８より細く形成する。【００１３】  図３は従来のスキージ部の形状を示した図であり、スキージ部６を舌先に引く際において、三日月状の凸部側がブラシ部３の先端側を向き当該舌に対して負荷になる方向を向いているのに対し、本考案のスキージ部６は従来と反対方向を向き当該舌に対して負荷になることがなく抗力を持たないため、圧迫感や掻爬感を残すことなく舌苔を除去することができる。【００１４】  また、上記ブラシ部３と当該ブラシ部３に形成した円錐形突起４と円筒形突起５およびスキージ部６はエラストマ樹脂にて形成し、他のブラシ保持部２と首部７および柄部８は適度な弾力性を有した軟質樹脂にて一体形成する。前記エラストマ樹脂としては、例えば合成ゴム，ポリイソブチレン，ポリエチレン，ポリエステルなどが好適であるが、特に限定するものではない。また、前記軟質樹脂としては、例えばポリプロピレンが好適であるが、これも特に限定するものではない。【００１５】  また、上記ブラシ部３に形成した円錐形突起４と円筒形突起５の直径は約０．５〜２ｍｍで長さは約２〜５ｍｍ程度とし、各円錐形突起４と円筒形突起５との間隔は約０．５〜２ｍｍ程度とし、さらにスキージ部６の高さは約１〜３ｍｍ程度とする。なお、前記円錐形突起４と円筒形突起５の配列形状は図１の（ａ）に示すように縦横を整列させた方眼状のほか、同心円状や渦巻き状など任意で構わない。また、ブラシ部３に形成する円錐形突起４と円筒形突起５の割合は、円錐形突起４を０〜３０％（すなわち円筒形突起５が１００〜７０％）程度とするのが好ましい。なお、前記円筒形突起５において、その付け根部分を先端面より僅かに太くして形成すると型より容易に抜くことができて好適となる。【００１６】  図２は、図１におけるスキージ部の配置変更をしたブラシ部正面図であり、スキージ部６をブラシ部３の上部に配置している。この場合、円錐形突起４と円筒形突起５の総数は減���ものの効果には変わりがなく、舌苔除去具１を裏返して使い分ける必要がないという利点がある。【００１７】  図４は図１におけるブラシ部の形状変更をしたブラシ部正面図であり、（ａ）は円形状、（ｂ）は繭型形状を示している。本考案の舌苔除去具１のブラシ保持部２の形状は、図１の楕円形状のほか、このような円形状や繭型形状などであっても構わない。【００１８】  図５は本考案の舌苔除去具の第一使用例図であり、本考案の舌苔除去具１を使用する場合、柄部８を把持してブラシ部３の円錐形突起４および円筒形突起５の全面を舌９の表面に当てて前後左右に動かす。このとき、前記円錐形突起４の円錐部が滑らかに舌９に当接し、前記円筒形突起５の円筒角部が確実に舌９に当接するため、舌９に圧迫感や掻爬感を残すことなく舌９の表面に付着している舌苔を確実に掻き取ることができる。【００１９】  次に、図６は本考案の舌苔除去具の第二使用例図であり、上記のようにして掻き取った舌苔を集めて除去する場合、舌苔除去具１を裏返してブラシ部３の裏面に形成されたスキージ部６を舌９の表面に当てて舌先に動かすことにより、舌９の先端側に掻き取った舌苔を集めて除去することができる。なお、舌９の奥などブラシ部３の当て難いところの舌苔を掻き取る場合、前記スキージ部６にて掻き取るようにしても構わない。【００２０】  また、上述のブラシ部３のブラシ保持部２への固着方法は、実用新案登録第３１２１２９４号公報で説明した冠着による方法や、実用新案登録第３１６４８７８号公報で説明した挿着による方法のいずれであっても構わない。
【図面の簡単な説明】
【００２１】
【図１】本考案の舌苔除去具の一実施例の外形図である。
【図２】図１におけるスキージ部の配置変更をしたブラシ部正面図である。
【図３】従来のスキージ部の形状を示した図である。
【図４】図１におけるブラシ部の形状変更をしたブラシ部正面図である。
【図５】本考案の舌苔除去具の第一使用例図である。
【図６】本考案の舌苔除去具の第二使用例図である。
【符号の説明】
【００２２】    １  舌苔除去具
２  ブラシ保持部
３  ブラシ部
４  円錐形突起
５  円筒形突起
６  スキージ部
７  首部
８  柄部
９  舌
【図１】
0003180559.tif 000003
【図２】
0003180559.tif 000004
【図３】
0003180559.tif 000005
【図４】
0003180559.tif 000006
【図５】
0003180559.tif 000007
【図６】
0003180559.tif 000008